(57)【要約】【課題】  後反射板と前反射板との間に電球を設けることにより効率よく、光を反射できると共に、前反射板を折り畳み可能とすることにより、照明器具本体の厚みを薄くすることができる。  また、複数の電球（例えば２本）を反射板の中央にて切り換えできることにより、通常の電球と同じ条件で使用できる。  さらに、移動体が、スライド板と駆動部というシンプルな形状であり、特に外燈のような道路沿いにあるものは安全性を重視され、従来のように、その都度、現場に行きクレーン車等を横付けし、作業者が交換することは、非効率的であり、効率的な電球の交換ができる自動交換照明装置を提供する。【解決手段】  後反射板を設けた後照明器具本体と前反射板を設けた前照明器具本体とからなる開閉自在な照明器具本体の後反射板と前反射板の間に、電球を設け、使用時の電球が切れた時点で、新しい電球に切り換えるべく、移動体を設けると共に、電球が切れたかどうかをチェックする制御部とからなることを特徴とする。【選択図】  図１
2005228722.tif 000002
【特許請求の範囲】
【請求項１】
後反射板を設けた後照明器具本体と前反射板を設けた前照明器具本体とからなる開閉自在な照明器具本体の後反射板と前反射板の間に、電球を設け、使用時の電球が切れた時点で、新しい電球に切り換えるべく、移動体を設けると共に、電球が切れたかどうかをチェックする制御部とからなることを特徴とする自動交換照明装置。
【請求項２】
前反射板が、折り畳み可能に形成してなることを特徴とする請求項１記載の自動交換照明装置。
【請求項３】
少なくとも２本の電球を設けてなることを特徴とする請求項１又は２記載の自動交換照明装置。
【請求項４】
移動体が、スライド板と、スライド板を左右に移動させる駆動部とを設けてなることを特徴とする請求項１、２又は３記載の自動交換照明装置。
【請求項５】
駆動部が、モーターであることを特徴とする請求項１、２、３又は４記載の自動交換照明装置。
【請求項６】
駆動部が、ソレノイドとスプリングにより構成されてなることを特徴とする請求項１、２、３又は４記載の自動交換照明装置。
【発明の詳細な説明】
【技術分野】
【０００１】  本発明は、例えば外燈において、電球が切れても、新しい電球を自動的に交換できる自動交換照明装置に関するものである。
【背景技術】
【０００２】  従来の技術としては、照明器具と、この照明器具を吊下げる可撓性線状材と、天井側に設けられ、モーターの駆動により上記可撓性線状材の巻き取りと繰り出しを選択的に行い、上記証明器具を上記天井側に上昇させて使用状態に保持し、若しくは下降させる昇降装置とを備えた照明装置がある。（特許文献１参照）【０００３】  また、別の従来例として、信号機の反射板内のそれぞれ赤色黄色青色の電球ごとに、正電球と副電球を１組にして、通常は正電球で点灯し、正電球が電球切れのときにリレースイッチでもう一方の副電球を自動的に点灯するようにして、電球切れで故障しないようにした、以上の構成を有する信号機装置がある。（特許文献２参照）
【特許文献１】  特開平６−２３６７０４号  公報
【特許文献２】  実用新案登録第３０６４９１７号  公報
【発明の開示】
【発明が解決しようとする課題】
【０００４】  上記前者においては、天井に設けた照明器具を自動的に昇降させ、電球の交換を行うものであり、非常に大掛かりなシステムとなり、必然的にコスト高となり、メンテナンスも大変である。【０００５】  また、上記後者においては、正電球と副電球を１組として、正電球が切れると副電球に切り換えるもので、電球が中央に位置しないため、光のバランスが悪くなり、実用上問題がある。【０００６】  本発明は、上記の問題点に鑑みなされたもので、その目的は、後反射板と前反射板との間に電球を設けることにより効率よく、光を反射できると共に、前反射板を折り畳み可能とすることにより、照明器具本体の厚みを薄くすることができる。
また、複数の電球（例えば２本）を反射板の中央にて切り換えできることにより、通常の電球と同じ条件で使用できる。
さらに、移動体が、スライド板と駆動部というシンプルな形状であり、特に外燈のような道路沿いにあるものは安全性を重視され、従来のように、その都度、現場に行きクレーン車等を横付けし、作業者が交換することは、非効率的であり、本発明は効率的な電球の交換ができる自動交換照明装置を提供するものである。
【課題を解決するための手段】
【０００７】  そして、本発明は上記目的を達成するために、後反射板を設けた後照明器具本体と前反射板を設けた前照明器具本体とからなる開閉自在な照明器具本体の後反射板と前反射板の間に、電球を設け、使用時の電球が切れた時点で、新しい電球に切り換えるべく、移動体を設けると共に、電球が切れたかどうかをチェックする制御部とからなること。また、前反射板が、折り畳み可能に形成してなること。少なくとも２本の電球を設けてなること。さらに、移動体が、スライド板と、スライド板を左右に移動させる駆動部とを設けてなること。その上、駆動部が、モーターであること。又は、駆動部が、ソレノイドとスプリングにより構成されてなることを特徴とする。
【発明の効果】
【０００８】１）、後反射板と前反射板との間に電球を設けることにより、効率よく光を反射できる効果がある。
２）、前反射板を折り畳み可能に形成することにより、照明器具本体の厚みを薄くすることができ、軽量化や小型化が計れる効果がある。
３）、電球を２本以上設けることにより、電球が切れた時点で瞬時に交換できる効果がある。
４）、移動体が、スライド板と駆動部というシンプルな形状であり、コストも安く、切れた電球交換も容易に行うことができる効果がある。
５）、駆動部をモーターとすることにより、スライド板を左右に移動することができ電球の交換が効率よくできる効果がある。
６）、駆動部がソレノイドとスプリングにより、安価で確実な電球の交換ができる効果がある。
７）、電球の交換をまとめて計画的に最適な時期（冬場を除く）に決めて交換できる効果がある。
【発明を実施するための最良の形態】
【実施例１】
【０００９】  １は、自動交換照明装置である。
２は、後照明器具本体３と前面にレンズ部４ｂを設けた前照明器具本体４とからなる螺番４ｂ１にて開閉自在な照明器具本体である。
後照明器具本体３は、内部に逆台形状の後反射板３ａを設けると共に、下部中央に発光する電球を係止する後係止部３ａ１を形成し、両側に待機用（切れた電球も含む）の電球を保持する保持部３ａ２を形成してなる。
また、前照明器具本体４は、内部上部に下方に固定傾斜した上反射板４ａ１と、両側にスプリングを設けた蝶番４ａ２１にて可動する角Ｋを円弧状に加工した側反射板４ａ２と、下部にスプリングを設けた蝶番４ａ３１にて可動する上方に傾斜した中央に（上記係止部３ａ１と相対向する位置）発光する電球を係止する前係止部４ａ３２を、両側に上記と同様に電球を保持する保持部４ａ３３を形成してなる下反射板４ａ３とからなる。
５は、新しい電球に切り換える移動体で、上記前照明器具本体４より突設した基台５ａにレール５ｂを設け、このレール５ｂ間に左右にスライドする歯形レール５ｃ１を設けたスライド板５ｃを設け、このスライド板５ｃに２本の電球Ｄ・Ｄ１を突設すると共に、歯形レール５ｃ１に取り付けたギヤＧを設けてなるモーターによる駆動部５ｄを設けてなる。
６は、電球Ｄが切れたかどうかをチェックする制御部で、後反射板３ａの下部に設けた光センサ６ａと制御回路６ｂとからなるものである。【００１０】  上記自動交換照明装置１の使用例を下記に述べる。
自動交換照明装置１を例えば外燈として使用する場合、道路沿いに立設した支柱（図示せず）の先端に設け、使用する。
この状態で、電球Ｄが切れた場合、光センサ６ａが感知し、制御回路６ｂの信号により駆動部５ｄを作動させ、ギヤＧを回動させ歯形レール５ｃ１を右方向に移動させることにより、電球Ｄ及び電球Ｄ１は右側に移動すると同時に、電球Ｄは後係止部３ａ１及び前係止部４ａ３２より、また電球Ｄ１は保持部３ａ２及び保持部４ａ３３より外れ、下反射板４ａ３が前面方向に可動しその押圧力（前面方向への）により側反射板４ａ２・４ａ２を前面方向に可動させる（折り畳んだ状態）ことによりスムーズに移動し、移動後は各蝶番（スプリング）の反力により元の位置に戻り、電球Ｄは右側の保持部３ａ２と保持部４ａ３３間に保持されると共に、電球Ｄ１が中央の後係止部３ａ１と前係止部４ａ３２間に係止され、制御回路６ｂにより点燈できるものである。
なお、電球Ｄを新しい電球に交換した後は、電球Ｄ１が切れた時点で駆動部５ｄを作動させ、スライド板５ｃを左側に移動させ、新しい電球を使用する。（つまり、新しい電球を交互に使用する。）【００１１】  通常、外燈で使用される電球は数万時間と考えられますが、特に外燈の電球切れは交通事故等を招く恐れがあり、早急に交換する必要がある。
この発明によれば、早急に交換することがなく、定期的に交換すればよく、効率がよい。
【実施例２】
【００１２】  つぎに、他の実施例を説明する。
自動交換照明装置２１は、レール２５ｂに設けたスライド板２５ｃの先端部に引張スプリング７ａの一端を固定し、他端を前照明器具本体２４の側面に固定してあると共に、スライド板の先端部に通孔２５ｃ１を形設し、その通孔２５ｃ１に出入するソレノイド７ｂとからなる駆動部７を設けてなるものである。
この自動交換照明装置２１は、電球Ｄ２が切れた時点でソレノイド７ｂが作動し、軸を通孔２５ｃ１より下げると同時に引張スプリング７ａが縮んでスライド板２５ｃを右方向に移動させることにより、電球Ｄ３を中央に位置させ、点燈させることができる。
また、切れた電球Ｄ２を交換した後は、スライド板２５ｃを手（図示せず）で左側に移動させ、再度ソレノイド７ｂの軸を通孔２５ｃ１に挿入し、初期設定と同じ状態とする。（電球Ｄ３は補助用として使用するものである。）【００１３】  なお、上記各実施例において、照明器具本体、移動体、制御部、駆動部等の形状・形態は、同様な機能・効果があれば他でもよい。
また、前反射板の折り畳み方法や電球の数等も、特に限定するものではない。
さらに、電球の種類は特に限定しない。
さらにまた、移動体はスライド式に限定せず、回動式等も考えられる。
【図面の簡単な説明】
【００１４】
【図１】  本発明の第１実施例を示す自動交換照明装置の一部縦断正面図。
【図２】  本発明の第１実施例を示す自動交換照明装置の後照明器具の正面図。
【図３】  本発明の第１実施例を示す自動交換照明装置の前照明器具の背面図。
【図４】  本発明の第２実施例を示す自動交換照明装置の前照明器具の背面図。
【符号の説明】
【００１５】  １  自動交換照明装置
２  照明器具本体
３  後照明器具本体
４  前照明器具本体
５  移動体
６  制御部
７  駆動部
【図１】
2005228722.tif 000003
【図２】
2005228722.tif 000004
【図３】
2005228722.tif 000005
【図４】
2005228722.tif 000006